(57)【要約】      （修正有）【課題】小型かつ合焦時に収差変動が少ないズームレンズを提供する。【解決手段】物体側から順に、第１正レンズ群Ｌ１、第２負レンズ群Ｌ２、第３正レンズ群Ｌ３、第４負レンズ群Ｌ４で構成された被写体を撮像するズームレンズで、変倍時に各レンズ群を移動して変倍を行って、第２負レンズ群は、物体側から順に２枚の凹レンズと凸レンズを有し、物体側に強い凹面を向けた凹レンズを有する第４レンズ群にて合焦し、以下の条件式（１）、（２）を満足するズームレンズ。０．０５＜｜ｆ4/ｆｔ｜＜０．５０（１）、０．０５＜｜ｆ2/ｆｔ｜＜０．２５（２）、ただし、ｆ4、ｆ2はそれぞれ第４および２レンズ群の焦点距離、ｆｔは、望遠端における焦点距離を表す。【選択図】図１
2018031935.tif 000002
【特許請求の範囲】
【請求項１】
物体側から順に、第１正レンズ群、第２負レンズ群、第３正レンズ群、第４負レンズ群で構成された被写体を撮像するズームレンズで、
変倍時に各レンズ群を移動して変倍を行って、
第２負レンズ群は、物体側から順に２枚の凹レンズと凸レンズを有し、
物体側に強い凹面を向けた凹レンズを有する第４レンズ群にて合焦し、
以下の条件式を満足することを特徴とするズームレンズ。
０．０５＜｜ｆ4/ｆｔ｜＜０．５０・・・（１）
０．０５＜｜ｆ2/ｆｔ｜＜０．２５・・・（２）
ただし、
ｆ4、ｆ2はそれぞれ第４および２レンズ群の焦点距離、
ｆｔは、望遠端における焦点距離を表す。
【請求項２】
以下の条件式を満足することを特徴とする請求項１に記載のズームレンズ。
１．２＜ｆ4/ｆ2＜２．５・・・（３）
【請求項３】
第３レンズ群の焦点距離をｆ3としたとき、
以下の条件式を満足することを特徴とする請求項１に記載のズームレンズ。
０．９＜｜ｆ3/ｆ2｜＜１．５・・・（４）
【請求項４】
第４レンズ群に含まれる物体側に強い凹面を向けた凹レンズについて、
物体側および像側曲率半径をそれぞれＲ１，Ｒ２としたとき、
以下の条件式を満足することを特徴とする請求項１に記載のズームレンズ。
−１．６＜（Ｒ１＋Ｒ２）/（Ｒ１-Ｒ２）＜０．０・・・（５）
【請求項５】
広角端における、第２〜３レンズ群間隔をｄ23ｗとしたとき、
以下の条件式を満足することを特徴とする請求項１に記載のズームレンズ。
０．１５＜ｄ23ｗ/ｆｔ＜０．３０・・・（６）
【請求項６】
開口絞りは第３正レンズ群の最も像側に配置されていることを特徴とする請求項１に記載のズームレンズ。
【発明の詳細な説明】
【技術分野】
【０００１】
本発明は、撮影長および鏡筒径の小径化が可能なズームレンズに関するもので、特にデジタルカメラに好適なものである。
【背景技術】
【０００２】
近年、デジタルスチルカメラやビデオカメラに搭載される撮像センサーについては、大判（型）化が進んできている。この結果、ズームレンズにはより小型であることが求められている。
【０００３】
まず、小型化を実現するために各レンズ群の屈折力を強く設定することが必要である。
ズーム比が４ｘを超えるような中〜高倍のズームレンズでは、正レンズ群が先行するポジティブリードタイプのズームレンズが多い。
このようなズームレンズを小型化した場合、各群屈折力配置は強くなる傾向を示し、そのレンズ群構成については屈折力を分担し、さらには硝子配置についても注意を払いながら設計することが必要である。
【０００４】
例えば、前記ポジティブリードズームについて、各群屈折力を強く設定したズームレンズが開示されている（特許文献１、２）。
【先行技術文献】
【特許文献】
【０００５】
【特許文献１】特開平０９−２４３９１８号公報
【特許文献２】特開２００１−３３０７７８号公報
【発明の概要】
【発明が解決しようとする課題】
【０００６】
上述の特許文献１に開示された従来技術では、物体側から順に正、負、正、負レンズ群で構成され、第２および４レンズ群などの屈折力を強く設定して、変倍時に各群が移動する例が開示されている。
【０００７】
しかしながら、第２負レンズ群を構成する凹レンズが１枚と少ないため、変倍時などの収差変動を抑制することができない。
また第２・４レンズ群屈折力が強いことなどに起因して負の歪曲が大きくかつ短瞳構成となることに起因して、至近合焦時の彎曲変動が大きくなるが、この課題解決については言及されていない。
【０００８】
一方特許文献２に開示された従来技術では、物体側から順に正、負、正、負レンズ群で構成され、第４レンズ群屈折力が強く設定された例が開示されている。
【０００９】
しかしながら、第２負レンズ群について負の屈折力が弱いために、前玉径が大型化する、または広角端における撮影長が大きい光学系となってしまう。
【００１０】
本願では、各群のレンズ構成に関する条件と屈折力範囲を規定している。
前記条件をすべて同時に満足することで、小型かつ小径なズームレンズを実現することができるものであって、いずれの条件を逸脱しても性能維持が困難になる。
または撮影時レンズ全長や径が大きくなるか、合焦時の像面彎曲収差変動等が増大してしまって本願課題を解決することができない。
【００１１】
本発明では、デジタルカメラ等に搭載される場合に好適な、小型かつ鏡筒径も小さく設計でき、かつ無限遠方から至近距離まで収差変動が少ないズームレンズに関するものである。
【課題を解決するための手段】
【００１２】
物体側から順に、第１正レンズ群、第２負レンズ群、第３正レンズ群、第４負レンズ群で構成された被写体を撮像するズームレンズで、
変倍時に各レンズ群を移動して変倍を行って、
第２負レンズ群は、物体側から順に２枚の凹レンズと凸レンズを有し、
物体側に強い凹面を向けた凹レンズを有する第４レンズ群にて合焦し、
以下の条件式を満足するズームレンズ
０．０５＜｜ｆ4/ｆｔ｜＜０．５０・・・（１）
０．０５＜｜ｆ2/ｆｔ｜＜０．２５・・・（２）
ただし、
ｆ4、ｆ2はそれぞれ第４および２レンズ群の焦点距離、
ｆｔは、望遠端における焦点距離を表す。
【発明の効果】
【００１３】
本発明によれば、撮影時全長の小型化、および鏡筒径なども同時に小型化でき、無限遠方〜至近まで収差変動が少ないズームレンズを提供することができる。
【図面の簡単な説明】
【００１４】
【図１】本発明の第１の実施形態のレンズ断面図
【図２】本発明の第２の実施形態のレンズ断面図
【図３】本発明の第３の実施形態のレンズ断面図
【図４】本発明の第４の実施形態のレンズ断面図
【図５】（Ａ）は第１の実施形態の広角端における収差図、（Ｂ）は第１の実施形態の望遠端における収差図
【図６】（Ａ）は第２の実施形態の広角端における収差図、（Ｂ）は第２の実施形態の望遠端における収差図
【図７】（Ａ）は第３の実施形態の広角端における収差図、（Ｂ）は第３の実施形態の望遠端における収差図
【図８】（Ａ）は第４の実施形態の広角端における収差図、（Ｂ）は第４の実施形態の望遠端における収差図
【発明を実施するための形態】
【００１５】
以下、各実施形態のズームレンズについて説明する。各実施形態のレンズ断面図において、ＳＰは開口絞り、ＧＢは硝子ブロック、ＩＰは像面であり、ＣＣＤ等の素子が配置される。また、各実施形態１〜４全てのズームレンズについて、広角端、望遠端とはズーミング用のレンズ群が機構上、光軸上を移動可能な範囲の両端に位置したときのズーム位置をいう。
【００１６】
《第１の実施形態》
以下、図１を参照して、本発明の第１の実施形態によるズームレンズについて説明する。本実施形態のズームレンズは、物体側より順に、正屈折力の第１レンズ群Ｌ１、負屈折力を有する第２レンズ群Ｌ２、正屈折力を有する第３レンズ群Ｌ３、負屈折力を有する第４レンズ群Ｌ４から構成されている。
【００１７】
また本実施形態では、第２および３レンズ群間に副絞りＳＳＰを配置している。広角端から望遠端への変倍に際し、第１〜４レンズ群、および副絞りはすべて変倍時に移動する構成となっており、本例では物体側に移動している。この各レンズ群が物体側へ移動することで効率よく変倍比を稼ぐことができている。
【００１８】
第１レンズ群の構成については、物体側から凹メニスカスレンズ、両凸レンズの２枚構成としており、沈胴収納時などのレンズ厚を薄くすることができる。
【００１９】
第２レンズ群の構成については、物体側から順に凹レンズ２枚、および凸レンズの合計３枚構成として、最も物体側に配置された凹メニスカスレンズには非球面を配し、主に像面彎曲などを抑制することができるものである。
【００２０】
第３レンズ群の構成については、凸レンズ２枚、凹レンズ、および凸レンズの合計４枚で構成されており、本実施形態ではすべての凸レンズに非球面が採用されており、主に球面、コマ収差を低減することができる。
【００２１】
第４レンズ群の構成については、凸レンズ、および物体側に強い凹面を向けた凹レンズの合計２枚構成としている。
【００２２】
本実施形態では、最も像側に配置された凹レンズについては両面に非球面を採用しており、これによって周辺像高における像面彎曲などを良好に補正することができるものである。
【００２３】
本実施形態では、前記第４および２レンズ群と全系望遠端焦点距離比については、それぞれ０．２８２（条件式（１））および０．１８０（条件式（２））とすることで、それぞれ変倍時のストロークおよび前玉径などを小さく設計することができる。
【００２４】
また、第２レンズ群に対する、それぞれ第４および３レンズ群の焦点距離比についてそれぞれ、１．５６７（条件式（３））、および１．０２４（条件式（４））として、前玉径の縮小、および第３レンズ群における変倍時のストロークを短縮することができるものである。
【００２５】
そのため、本実施形態では変倍に貢献する強い屈折力配置となる第２レンズ群などは、それぞれ凹レンズを２枚含むことで、屈折力分担による諸収差の発生を低減するとともに色収差などについては凸レンズによる収差補正効果を持たせている。
【００２６】
また、第４レンズ群内部には、物体側に強い凹面を向けた凹レンズ（Ｇ１１）を含む。
これは無限遠方から至近に合焦する際に、物体平面が移動したことによる像面彎曲収差の変動成分を本凹レンズが移動することで球面収差成分を発生させて軸上と周辺像面位置のバランスをとるものである。
このため、前記Ｇ１１の形状因子（シェイプファクター）としては、−０．５４３（条件式（５））としている。
【００２７】
また、広角端における第２〜３レンズ群間隔と望遠端焦点距離比については、０．２３３（条件式（５））とすることで、中玉径を小さく設計できている。
【００２８】
なお、本実施形態は以下を満足するような構成としているが、その作用について説明する。物体側から順に、第１正レンズ群、第２負レンズ群、第３正レンズ群、第４負レンズ群で構成された被写体を撮像するズームレンズで、
変倍時に各レンズ群を移動して変倍を行って、
第２負レンズ群は、物体側から順に２枚の凹レンズと凸レンズを有し、
物体側に強い凹面を向けた凹レンズを有する第４レンズ群にて合焦し、
以下の条件式を満足している。
０．０５＜｜ｆ4/ｆｔ｜＜０．５０・・・（１）
０．０５＜｜ｆ2/ｆｔ｜＜０．２５・・・（２）
ただし、
ｆ4、ｆ2はそれぞれ第４および２レンズ群の焦点距離、
ｆｔは、望遠端における焦点距離を表す。
【００２９】
上記のように、物体側から第１正、第２負、第３正、第４負レンズ群構成とした、正レンズ群が先行するいわゆるポジティブリードタイプのズームレンズとすることでズーム比などの高倍率化などに有利な設計とすることができるものである。
【００３０】
さらに、変倍時に第１〜４レンズ群を各々独立に駆動することで、効率よく変倍比を確保することができコンパクトなズームレンズを実現できるものである。
【００３１】
条件式（１）は、第４レンズ群と望遠端焦点距離比を規定したものであって、下限を超えると第４レンズ群の屈折力が強くなりすぎて彎曲収差などを所望範囲に収めることができない。逆に上限を超えると、第４レンズ群の屈折力が弱くなりすぎて、第１〜３レンズ群の変倍時におけるストロークが長くなって大型化してしまう。
さらに望ましくは、以下の条件式（１ａ）範囲とすることで、性能確保しながらより小型にできるズームレンズを実現できるものである。
０．１５＜｜ｆ4/ｆｔ｜＜０．５０・・・（１ａ）
条件式（２）は、第２レンズ群と望遠端焦点距離比を規定したものであって、下限を超えると第２レンズ群の屈折力が強くなりすぎて負の歪曲収差が大きくなりすぎて、至近合焦時の収差変動が大きくなる。逆に上限を超えると、第２レンズ群の屈折力が弱くなりすぎて、前玉径などが大型化してしまうため好ましくない。
【００３２】
さらに望ましくは、以下の条件式（２ａ）範囲とすることで、性能確保しながらより小型にできるズームレンズを実現できるものである。
【００３３】
０．１５＜｜ｆ2/ｆｔ｜＜０．２５・・・（２ａ）
第２レンズ群構成としては、先の条件式（２）により強い屈折力配置とすることにより少なくとも凹レンズを２枚配置しており、径などを小型化するために主点位置を物体側に寄せた構成とするために凹、凹、凸といった順番に配置するのが良い。
【００３４】
また、上記条件式（１）、（２）により、比較的負の歪曲が大きく、短瞳となったズームレンズとなるが、これにともなって至近合焦時における、特に像面彎曲収差変動が大きくなることが懸念される。
【００３５】
これに対しては、第４レンズ群内部について、強い凹面を物体側に向けた凹レンズを有し、無限遠方から至近合焦時に、この凹レンズを像側に駆動して合焦することで球面収差変動をあえて発生させ、周辺像高の像面とのバランスをとるものである。
この合焦レンズは無限遠方から至近距離への合焦に際しては、（必然的に）繰り込み駆動となる。
【００３６】
前記ズームレンズに関して、以下の条件式を満足している。
１．２＜ｆ4/ｆ2＜２．５・・・（３）
条件式（３）は、第４と２レンズ群の焦点距離比を規定したものであって、下限を超えると第２レンズ群の屈折力が弱くなりすぎて前玉径などが大型化する。
逆に上限を超えると、第４レンズ群の屈折力が弱くなりすぎて、物体側レンズ群による変倍時ストロークが長くなってしまう。
【００３７】
また近年広角端における負の歪曲収差などをあえて大きくだして、歪曲補正をする前提として前玉径などを小さく設計する例などが開示されている。このように負の歪曲を大きく発生させるためには、絞りを挟んで第２負および４負レンズ群の屈折力が略同等であると、歪曲収差は相殺されてしまって好ましくない。したがって前玉径を小さく設定するために、第２負レンズ群の屈折力を第４負レンズ群の屈折力に対して強く設定することが望ましい。
【００３８】
さらに望ましくは、以下の条件式（３ａ）範囲とすることで、性能確保しながらより小型にできるズームレンズを実現できるものである。
１．２＜ｆ4/ｆ2＜２．３・・・（３ａ）
前記ズームレンズに関して、第３レンズ群の焦点距離をｆ3としたとき、
以下の条件式を満足している。
０．９＜｜ｆ3/ｆ2｜＜１．５・・・（４）
【００３９】
条件式（４）は、第３と２レンズ群の焦点距離比を規定したものであって、下限を超えると第２レンズ群の屈折力が弱くなりすぎて前玉径などが大型化する。逆に上限を超えると、第３レンズ群の屈折力が弱くなりすぎて、物体側レンズ群による変倍時ストロークが長くなってしまう。
【００４０】
さらに望ましくは、以下の条件式（４ａ）範囲とすることで、性能確保しながらより小型にできるズームレンズを実現できるものである。
０．９＜｜ｆ3/ｆ2｜＜１．２・・・（４ａ）
また前記ズームレンズに関して、第４レンズ群に含まれる物体側に強い凹面を向けた凹レンズについて、物体側および像側曲率半径をそれぞれＲ１，Ｒ２としたとき、
以下の条件式を満足することを特徴としている。
【００４１】
−１．６＜（Ｒ１＋Ｒ２）/（Ｒ１-Ｒ２）＜０．０・・・（５）
条件式（５）は、第４レンズ群に含まれる、合焦時駆動する凹レンズについての形状因子を規定したものであって、上下限のどちらを超えても至近合焦時の主に像面彎曲収差変動が大きくなるため好ましくない。
【００４２】
前記ズームレンズに関して、広角端における、第２〜３レンズ群間隔をｄ23ｗとしたとき、以下の条件式を満足することを特徴としている。
０．１５＜ｄ23ｗ/ｆｔ＜０．３０・・・（６）
【００４３】
条件式（６）は、広角端における第２〜３レンズ群間隔と全系望遠端焦点距離比を規定したものであって、下限を超えると第２レンズ群の屈折力などが強くなって像面彎曲が劣化する。逆に上限を超えると、撮影長および前玉径が大型化するため好ましくない。
さらに望ましくは、以下の条件式（６ａ）範囲とすることで、性能確保しながらより小型にできるズームレンズを実現できるものである。
０．１６＜ｄ23ｗ/ｆｔ＜０．２９・・・（６ａ）
【００４４】
また、前記ズームレンズに関して、開口絞りは第３正レンズ群の最も像側に配置されていることを特徴としている。この構成とすることで、変倍時特に望遠端における第２〜３レンズ群間隔をより詰めることができるため、効率的に変倍比を稼ぐ、またはより小型化が期待できるものである。
【００４５】
《第２の実施形態》
以下、図２を参照して、本発明の第２の実施形態によるズームレンズについて説明する。本実施形態のズームレンズは、広角端から望遠端への変倍に際し、第１〜４レンズ群はすべて変倍時に移動する構成となっており、この各レンズ群が物体側へ移動することで効率よく変倍比を稼ぐことができている。
【００４６】
第２レンズ群の構成については、物体側から順に凹レンズ２枚、および凸レンズの合計３枚構成として、最も物体側に配置された凹メニスカスレンズには非球面を配し、主に像面彎曲などを抑制することができるものである。
【００４７】
第３レンズ群の構成については、凸レンズ２枚、凹レンズ、および凸レンズの合計４枚で構成されており、本例では最も物体側と像側の凸レンズに非球面が採用されており、主に球面、コマ収差を低減することができる。
【００４８】
第４レンズ群の構成については、凸レンズ、および物体側に強い凹面を向けた凹レンズの合計２枚構成としている。
【００４９】
本実施形態では、最も像側に配置された凹レンズについては非球面を採用しており、これによって周辺像高における像面彎曲などを良好に補正することができるものである。
【００５０】
本実施形態では、前記第４および２レンズ群と全系望遠端焦点距離比については、それぞれ０．４６５（条件式（１））および０．２１５（条件式（２））とすることで、それぞれ変倍時のストロークおよび前玉径などを小さく設計することができる。
【００５１】
また、第２レンズ群に対する、それぞれ第４および３レンズ群の焦点距離比についてそれぞれ、２．１６８（条件式（３））、および１．０３７（条件式（４））とすることで、前玉径の縮小化、および第３レンズ群の変倍時ストロークを短縮することができるものである。
【００５２】
また、第４レンズ群内部には、物体側に強い凹面を向けた凹レンズ（Ｇ１１）を含む。これは無限遠方から至近に合焦する際に、物体平面が移動したことによる像面彎曲収差の変動成分を本凹レンズが像側へ移動することで球面収差成分を発生させて軸上と周辺像面位置のバランスをとるものである。
【００５３】
このため、前記Ｇ１１の形状因子（シェイプファクター）としては、−０．７９２（条件式（５））としている。また、広角端における第２〜３レンズ群間隔と望遠端焦点距離比については、０．２７４（条件式（５））とすることで、中玉径を小さく設計できている。
【００５４】
その他の点は、第１の実施形態と同じなので詳細説明は割愛する。
【００５５】
《第３の実施形態》
以下、図３を参照して、本発明の第３の実施形態によるズームレンズについて説明する。広角端から望遠端への変倍に際し、第１〜４レンズ群はすべて変倍時に移動する構成となっており、本実施形態では物体側に移動している。この各レンズ群が物体側へ移動することで効率よく変倍比を稼ぐことができている。
【００５６】
第２レンズ群の構成については、物体側から順に凹レンズ２枚、および凸レンズの合計３枚構成として、最も物体側に配置された凹メニスカスレンズには両面非球面を配し、主に像面彎曲などを抑制することができるものである。
【００５７】
第３レンズ群の構成については、凸レンズ２枚、凹レンズ、および凸レンズの合計４枚で構成されており、本実施形態では最も物体側に配置された凸レンズに両面非球面が採用されており、主に球面、コマ収差を低減することができる。
【００５８】
本実施形態では、前記第４および２レンズ群と全系望遠端焦点距離比については、それぞれ０．２０７（条件式（１））および０．１５７（条件式（２））とすることで、それぞれ変倍時のストロークおよび前玉径などを小さく設計することができる。
【００５９】
また、第２レンズ群に対する、それぞれ第４および３レンズ群の焦点距離比についてそれぞれ、１．３１５（条件式（３））、および０．９３９（条件式（４））として、前玉径の縮小、および第３レンズ群における変倍時のストロークを短縮することができるものである。
【００６０】
また、第４レンズ群内部には、物体側に強い凹面を向けた凹レンズ（Ｇ１１）を含む。
これは無限遠方から至近に合焦する際に、物体平面が移動したことによる像面彎曲収差の変動成分を本凹レンズが像側へ移動することで球面収差成分を発生させて軸上と周辺像面位置のバランスをとるものである。
【００６１】
このため、前記Ｇ１１の形状因子（シェイプファクター）としては、−０．９２９（条件式（５））としている。また、広角端における第２〜３レンズ群間隔と望遠端焦点距離比については、０．１７４（条件式（５））とすることで、中玉径を小さく設計できている。その他の点は、第１の実施形態と同じなので詳細説明は割愛する。
【００６２】
《第４の実施形態》
以下、図４を参照して、本発明の第４の実施形態によるズームレンズについて説明する。広角端から望遠端への変倍に際し、第１〜４レンズ群はすべて変倍時に移動する構成となっており、本実施形態では物体側に移動している。この各レンズ群が物体側へ移動することで効率よく変倍比を稼ぐことができている。
【００６３】
第２レンズ群の構成については、物体側から順に凹レンズ２枚、および凸レンズの合計３枚構成として、最も物体側に配置された凹メニスカスレンズには両面について非球面を配し、主に像面彎曲などを抑制することができるものである。
【００６４】
第３レンズ群の構成については、凸レンズ２枚、凹レンズ、および凸レンズの合計４枚で構成されており、本例では最も物体側およびそれに隣接するように配置された凸レンズに非球面が採用されており、主に球面、コマ収差を低減することができる。
【００６５】
第４レンズ群の構成については、物体側に強い凹面を向けた凹レンズのみの１枚構成としている。本実施形態では、前記凹レンズについては両面に非球面を採用しており、これによって周辺像高における像面彎曲などを良好に補正することができるものである。
【００６６】
本実施形態では、前記第４および２レンズ群と全系望遠端焦点距離比については、それぞれ０．３６７（条件式（１））および０．２０８（条件式（２））とすることで、それぞれ変倍時のストロークおよび前玉径などを小さく設計することができる。
【００６７】
また、第２レンズ群に対する、それぞれ第４および３レンズ群の焦点距離比についてそれぞれ、１．７６７（条件式（３））、および１．０３７（条件式（４））として、前玉径の縮小、および第３レンズ群における変倍時のストロークを短縮することができるものである。
【００６８】
また、第４レンズ群内部には、物体側に強い凹面を向けた凹レンズ（Ｇ１０）を含む。
これは無限遠方から至近に合焦する際に、物体平面が移動したことによる像面彎曲収差の変動成分を本凹レンズが像側へ移動することで球面収差成分を発生させて軸上と周辺像面位置のバランスをとるものである。
【００６９】
このため、前記Ｇ１０の形状因子（シェイプファクター）としては、−１．５２６（条件式（５））としている。また、広角端における第２〜３レンズ群間隔と望遠端焦点距離比については、０．２４４（条件式（５））とすることで、中玉径を小さく設計できている。その他の点は、第１の実施形態と同じなので詳細説明は割愛する。
【００７０】
以上、本発明の好ましい実施形態について説明したが、本発明はこれらの実施形態に限定されず、その要旨の範囲内で種々の変形及び変更が可能である。
【００７１】
例えば、実施形態１〜４全てのズームレンズは、変倍時のＦ値変動を低減するために開口絞り制御を行なってもよい。
【００７２】
また受光面上に形成された光学像を電気信号に変換する撮像素子を備えた撮像装置と組み合わせた場合などには歪曲収差量によっては電気的な補正を加えても良い。
【００７３】
次に、各実施形態におけるデータを以下に示す。ｉは物体面からの面の順序を示し、ｒｉはレンズ面の曲率半径、ｄｉは第ｉ面と第ｉ＋１面との間のレンズ肉厚および空気間隔、ｎｉ，ｖｉはそれぞれｄ線に対する屈折率およびアッベ数を表す。また、非球面に記載されている、ｋ，Ａ，Ｂ，Ｃ，Ｄ，Ｅなどは非球面係数である。
【００７４】
非球面形状は光軸からの高さｈの位置での光軸方向の変位を、面頂点を基準にしてｘとするとき以下の式で定義される。
【００７５】
ｘ＝（ｈ2／Ｒ）／［１＋｛１−（１＋ｋ）（ｈ／Ｒ）2｝1/2］
＋Aｈ4＋Bｈ6＋Cｈ8＋Dｈ１０＋Eｈ1２
ただし、ここでＲは曲率半径である。
【００７６】
（数値実施例１）
単位 mm
面データ
面番号       r        d      nd         vd       有効径
1         50.059    1.52   1.95906    17.5       42.49
2         41.860    6.94   1.59282    68.6       39.98
3       -731.626  (可変)                         38.64
4*       255.631    1.10   1.85400    40.4       30.14
5*        18.763    7.01                         23.18
6        -38.093    0.76   1.77250    49.6       22.77
7         67.159    0.17                         22.60
8         32.749    2.76   1.95906    17.5       22.82
9        137.238  (可変)                         22.51
10          ∞     (可変)                         16.39
11*        45.973    1.85   1.85400    40.4       17.53
12        230.913    0.17                         17.92
13*        17.112    7.15   1.55332    71.7       19.51
14        -26.154    0.17                         19.07
15         39.372    0.68   2.00069    25.5       16.59
16         14.943    2.09                         15.36
17         78.916    3.44   1.49710    81.6       15.31
18*       -18.386    1.69                         15.07
19(絞り)    ∞     (可変)                         12.77
20        135.825    2.94   1.72825    28.5       14.50
21        -19.777    1.31                         14.61
22*       -13.588    0.68   1.85400    40.4       14.21
23*        45.816  (可変)                         14.98
24          ∞       2.05   1.54400    60.0       49.71
25          ∞       0.60   1.55900    58.6       49.71
26          ∞       1.09                         49.71
27          ∞       0.50   1.52300    58.6       49.71
28          ∞       3.81                         49.71
像面        ∞   
非球面データ
第4面
K = 0.00000e+000  A 4=-3.53096e-006  A 6= 1.00753e-008  A 8= 1.07620e-010  A10=-3.51535e-013  
第5面
K = 9.31330e-001  A 4=-9.46408e-006  A 6=-3.44890e-009  A 8=-8.96311e-011  A10= 2.52125e-012  
第11面
K =-1.04222e+001  A 4=-5.81323e-005  A 6=-1.41355e-007  A 8=-8.61883e-010  
第13面
K =-1.46336e-001  A 4= 2.64825e-005  A 6= 1.42883e-008  A 8=-1.29739e-009  
第18面
K =-6.00006e-001  A 4= 7.42869e-006  A 6=-3.56203e-007  A 8= 8.47951e-009  A10=-3.54698e-011  
第22面
K =-8.14155e-001  A 4= 4.48676e-005  A 6=-2.56522e-006  A 8= 5.80805e-008  A10=-4.28989e-010  
第23面
K = 8.19169e+000  A 4= 1.48748e-005  A 6=-1.93110e-006  A 8= 3.92315e-008  A10=-2.25084e-010  
各種データ
ズーム比      6.75 
広角     中間     望遠
焦点距離      15.21    52.83   102.65  
Fナンバー      1.85     4.20     6.00  
画角          36.19    14.50     7.58  
像高          11.13    13.66    13.66  
レンズ全長    83.84   101.55   121.52  
BF             3.81     3.81     3.81
d 3            0.69    18.08    25.91  
d 9           18.88     4.20     0.76  
d10            5.07     2.54     0.00  
d19            6.75     3.38     2.54  
d23            1.96    22.88    41.84  
入射瞳位置    28.76    65.93    91.35  
射出瞳位置   -11.93   -31.02   -49.47  
前側主点位置  29.28    38.63    -3.76  
後側主点位置 -11.40   -49.02   -98.84  
ズームレンズ群データ
群  始面    焦点距離  レンズ構成長  前側主点位置  後側主点位置
L1    1      88.49         8.46        -0.23         -5.38
L2    4     -18.47        11.80         1.86         -7.37
SSP   10       ∞           0.00         0.00         -0.00
L3   11      18.92        17.24         4.53         -9.82
L4   20     -28.94         4.93         5.31          1.67
GB   24       ∞           4.23         1.56         -1.56
単レンズデータ
レンズ  始面  焦点距離
1       1   -293.12
2       2     67.01
3       4    -23.76
4       6    -31.37
5       8     44.28
6      11     66.90
7      13     19.86
8      15    -24.40
9      17     30.35
10      20     23.90
11      22    -12.21
12      24      0.00
13      25      0.00
14      27      0.00
【００７７】
（数値実施例２）
単位 mm
面データ
面番号       r        d      nd         vd       有効径
1         52.872    1.52   1.95906    17.5       43.11
2         44.710    6.66   1.59282    68.6       40.70
3      -1223.192  (可変)                         39.23
4*       168.839    1.10   1.85400    40.4       31.42
5*        16.464    7.48                         23.66
6        -52.724    0.76   1.77250    49.6       23.37
7         70.164    0.17                         23.27
8         29.194    2.85   1.95906    17.5       23.61
9         81.729  (可変)                         23.23
10*        37.735    1.87   1.85400    40.4       16.70
11         71.156    0.12                         16.61
12         13.891    5.84   1.59282    68.6       17.53
13        -66.208    0.12                         16.68
14         26.749    0.68   1.80809    22.8       15.23
15         12.299    2.48                         13.97
16        677.508    2.64   1.55332    71.7       13.89
17*       -20.398    1.69                         13.64
18(絞り)    ∞     (可変)                         11.95
19      -6411.035    3.01   1.67270    32.1       14.55
20        -17.391    1.10                         14.82
21*       -14.510    0.68   1.85400    40.4       14.57
22        125.074  (可変)                         15.57
23          ∞       2.05   1.54400    60.0       49.71
24          ∞       0.60   1.55900    58.6       49.71
25          ∞       1.09                         49.71
26          ∞       0.50   1.52300    58.6       49.71
27          ∞       3.82                         49.71
像面        ∞   
非球面データ
第4面
K = 0.00000e+000  A 4=-5.84341e-006  A 6= 1.94779e-008  A 8= 1.74333e-011  A10=-1.27099e-013  
第5面
K = 2.83929e-001  A 4=-5.01145e-006  A 6= 3.63524e-008  A 8=-1.86866e-010  A10= 3.44652e-012  
第10面
K =-5.21190e+000  A 4=-3.26239e-005  A 6=-1.12345e-007  A 8=-7.00518e-010  
第17面
K =-6.70472e-001  A 4= 1.01607e-005  A 6= 9.32398e-008  A 8= 1.05284e-009  A10= 1.27373e-010  
第21面
K =-2.61231e-001  A 4= 4.32185e-006  A 6=-5.26892e-009  A 8= 1.59587e-009  A10=-4.20620e-011  
各種データ
ズーム比      5.75 
広角     中間     望遠
焦点距離      15.34    45.34    88.19  
Fナンバー      2.06     4.20     6.00  
画角          37.12    16.77     8.80  
像高          11.61    13.66    13.66  
レンズ全長    84.37   100.94   119.71  
BF             3.82     3.82     3.82  
d 3            0.69    16.67    26.42  
d 9           24.16     8.01     0.76  
d18            8.14     3.05     2.92  
d22            2.58    24.41    40.81  
入射瞳位置    27.37    57.73    84.66  
射出瞳位置   -14.11   -32.71   -49.02  
前側主点位置  29.58    46.78    25.67  
後側主点位置 -11.52   -41.52   -84.37  
ズームレンズ群データ
群  始面    焦点距離  レンズ構成長  前側主点位置  後側主点位置
L1    1      95.05         8.18        -0.38         -5.34
L2    4     -18.94        12.35         1.43         -8.34
L3   10      19.64        15.42         3.11         -9.50
L4   19     -41.05         4.79         4.87          1.47
GB   23       ∞           4.23         1.56         -1.56
単レンズデータ
レンズ  始面  焦点距離
1       1   -332.29
2       2     72.90
3       4    -21.43
4       6    -38.86
5       8     46.13
6      10     91.72
7      12     19.91
8      14    -28.78
9      16     35.84
10      19     25.92
11      21    -15.19
12      23      0.00
13      24      0.00
14      26      0.00
【００７８】
（数値実施例３）
単位 mm
面データ
面番号       r        d      nd         vd       有効径
1         30.587    1.05   1.95906    17.5       30.01
2         25.451    5.48   1.59282    68.6       28.18
3      -1528.174  (可変)                         27.36
4*      -126.415    0.76   1.85400    40.4       24.14
5*        27.466    3.75                         19.20
6        -84.659    0.53   1.77250    49.6       18.90
7         21.563    0.12                         18.14
8         16.725    2.15   1.95906    17.5       18.39
9         29.188  (可変)                         17.99
10*        19.108    1.77   1.85400    40.4       12.47
11*        67.077    0.12                         12.22
12         12.013    3.71   1.48749    70.2       12.19
13        -31.969    0.12                         11.64
14         55.605    0.47   2.00069    25.5       10.93
15         12.611    0.95                         10.31
16         34.884    2.21   1.48749    70.2       10.29
17        -16.861    1.17                         10.14
18(絞り)    ∞     (可変)                          9.03
19       -110.920    2.23   1.78472    25.7       11.28
20        -12.263    1.21                         11.51
21*        -7.947    0.47   1.85400    40.4       11.34
22*       214.453  (可変)                         12.90
23          ∞       2.05   1.54400    60.0       49.81
24          ∞       0.60   1.55900    58.6       49.81
25          ∞       1.10                         49.81
26          ∞       0.50   1.52300    58.6       49.81
27          ∞       3.94                         49.81
像面        ∞   
非球面データ
第4面
K = 0.00000e+000  A 4=-1.59458e-005  A 6= 6.20904e-007  A 8=-2.98733e-009  A10= 5.97256e-012  
第5面
K = 6.53655e+000  A 4=-3.26257e-005  A 6= 5.02698e-007  A 8= 3.00668e-010  A10=-1.00588e-012  
第10面
K =-2.36924e+000  A 4=-3.29288e-005  A 6=-6.13970e-007  A 8=-5.17374e-009  
第11面
K = 0.00000e+000  A 4= 1.03240e-005  A 6=-2.30848e-007  A 8=-2.95998e-009  
第21面
K =-7.92781e-001  A 4= 4.98477e-005  A 6=-1.82341e-006  A 8= 1.38369e-008  A10=-4.19410e-010  
第22面
K = 4.52578e+002  A 4= 7.50529e-005  A 6=-2.02877e-006  A 8= 3.84636e-008  A10=-2.03808e-010  
各種データ
ズーム比      5.74 
広角     中間     望遠
焦点距離      17.86    49.71   102.44  
Fナンバー      2.47     5.05     7.32  
画角          32.10    15.36     7.60  
像高          11.20    13.66    13.66  
レンズ全長    62.60    73.89    86.71  
BF             3.94     3.94     3.94  
d 3            0.53     9.55    15.16  
d 9           17.77     7.47     0.53  
d18            6.35     3.15     2.54  
d22            1.52    17.28    32.04  
入射瞳位置    25.90    46.41    62.81  
射出瞳位置   -10.50   -24.66   -39.07  
前側主点位置  21.69     9.71   -78.74  
後側主点位置 -13.91   -45.77   -98.49  
ズームレンズ群データ
群  始面    焦点距離  レンズ構成長  前側主点位置  後側主点位置
L1    1      56.93         6.53        -0.35         -4.33
L2    4     -16.11         7.30         2.14         -3.14
L3   10      15.13        10.51         1.58         -6.66
L4   19     -21.17         3.90         3.91          1.05
GB   23       ∞           4.24         1.57         -1.57
単レンズデータ
レンズ  始面  焦点距離
1       1   -175.62
2       2     42.28
3       4    -26.36
4       6    -22.20
5       8     37.66
6      10     30.77
7      12     18.42
8      14    -16.39
9      16     23.65
10      19     17.40
11      21     -8.96
12      23      0.00
13      24      0.00
14      26      0.00
【００７９】
（数値実施例４）
単位 mm
面データ
面番号       r        d      nd         vd       有効径
1         38.017    1.05   1.95906    17.5       29.37
2         30.791    4.71   1.59282    68.6       28.11
3       -613.298  (可変)                         27.41
4*      -113.502    0.88   1.85400    40.4       24.10
5*        23.561    2.81                         20.33
6        343.715    0.64   1.80400    46.6       20.06
7         21.560    1.75                         19.09
8         20.110    2.07   1.95906    17.5       19.37
9         37.367  (可変)                         19.00
10*        43.984    1.41   1.74330    49.3       12.02
11       -198.931    0.12                         12.22
12*        14.326    3.96   1.51633    64.1       12.68
13        -22.945    0.12                         12.37
14        142.548    0.47   1.90366    31.3       11.66
15         15.379    1.95                         11.14
16        -33.870    1.98   1.56907    71.3       11.13
17        -12.064    1.17                         11.24
18(絞り)    ∞     (可変)                         10.04
19*       -19.223    0.53   1.77250    49.5       14.49
20*       -92.367  (可変)                         15.58
21          ∞       2.05   1.54400    60.0       49.81
22          ∞       0.60   1.55900    58.6       49.81
23          ∞       1.10                         49.81
24          ∞       0.50   1.52300    58.6       49.81
25          ∞       3.86                         49.81
像面        ∞   
非球面データ
第4面
K = 0.00000e+000  A 4=-3.42886e-005  A 6= 4.75705e-007  A 8=-2.45775e-009  A10= 5.67214e-012  
第5面
K = 3.18727e+000  A 4=-5.54974e-005  A 6= 2.73274e-007  A 8=-2.88041e-010  A10=-1.31640e-011  
第10面
K =-2.64211e+001  A 4=-1.48250e-004  A 6=-1.57145e-007  A 8=-9.63036e-009  
第12面
K = 4.31272e-001  A 4= 8.13384e-005  A 6=-1.19410e-006  A 8= 1.32384e-008  A10=-1.72908e-010  
第19面
K = 1.52211e+000  A 4= 1.89302e-005  A 6=-3.66857e-006  A 8= 4.26403e-008  A10=-6.04703e-011  
第20面
K = 0.00000e+000  A 4=-2.37616e-006  A 6=-3.31725e-006  A 8= 4.50414e-008  A10=-1.50247e-010  
各種データ
ズーム比      4.72 
広角     中間     望遠
焦点距離      18.21    50.49    85.95  
Fナンバー      2.91     5.51     7.69  
画角          31.59    15.14     9.03  
像高          11.20    13.66    13.66  
レンズ全長    72.62    82.25    93.33  
BF             3.86     3.86     3.86  
d 3            1.19    12.26    17.85  
d 9           21.01     6.00     0.53  
d18           14.34    13.34    13.25  
d20            2.38    16.98    27.98  
入射瞳位置    24.05    44.12    57.52  
射出瞳位置   -15.71   -29.82   -40.78  
前側主点位置  25.30    18.84   -21.96  
後側主点位置 -14.37   -46.67   -82.07  
ズームレンズ群データ
群  始面    焦点距離  レンズ構成長  前側主点位置  後側主点位置
L1    1      69.40         5.76        -0.21         -3.71
L2    4     -17.84         8.15         0.80         -5.57
L3   10      18.50        11.17         3.04         -6.34
L4   19     -31.52         0.53        -0.08         -0.38
GB   21       ∞           4.24         1.57         -1.57
単レンズデータ
レンズ  始面  焦点距離
1       1   -181.88
2       2     49.59
3       4    -22.78
4       6    -28.64
5       8     42.89
6      10     48.58
7      12     17.72
8      14    -19.11
9      16     31.88
10      19    -31.52
11      21      0.00
12      22      0.00
13      24      0.00
以下に各数値実施例の条件式の値を示す。
【００８０】
【表１】
2018031935.tif 000003
【符号の説明】
【００８１】
Ｌ１  第１レンズ群
Ｌ２  第２レンズ群
Ｌ３  第３レンズ群
Ｌ４  第４レンズ群
ＩＰ  像面
ＳＰ  開口絞り
ＳＳＰ  副絞り
ＧＢ  硝子ブロック
Ｓ  サジタル像面
Ｍ  メリディオナル像面
ｇ  ｇ線
【図１】
2018031935.tif 000004
【図２】
2018031935.tif 000005
【図３】
2018031935.tif 000006
【図４】
2018031935.tif 000007
【図５】
2018031935.tif 000008
【図６】
2018031935.tif 000009
【図７】
2018031935.tif 000010
【図８】
2018031935.tif 000011